(57)【要約】      （修正有）【課題】身体に不自由な人などが、テーブル使用において、安全、且つ容易に立ち上がりを行える手摺り付テーブルを提供する。【解決手段】木製厚板であって天板上面の四周に沿って滑り止め付き握り可能な張出手摺部を２〜４箇所を有し、安定性を持たせるために張出手摺り部に脚部を取り付けて、テーブルにおける正方形、長方形、矩形から選ばれた天板上面の四周に滑り止め付き握り可能な張出手摺部に滑り止め部材を施しており、テーブルの天板の２〜４カ所の角部の張出手摺用具と脚部との固定にされている。【選択図】図１
0003174532.tif 000002
【実用新案登録請求の範囲】
【請求項１】
木製厚板であって天板上面の四周に沿って滑り止め付き握り可能な張出手摺部を２〜４箇所を有し、安定性を持たせるために張出手摺り部に脚部を取り付けていることを特徴とする手摺付きテーブル。
【請求項２】
テーブルにおける正方形、長方形、矩形から選ばれた天板上面の四周に滑り止め付き握り可能な張出手摺部は、幅４０〜８０ｍｍで、長さ１００〜２５０ｍｍで、厚さ４０〜１００ｍｍであって、手摺り上面に透明シリコンフイルムの張付け、線状溝構造の施し、シリコン微粒子入り透明塗料の塗布のいずれかを施しており、テーブルの天板の２〜４カ所の角部に張出手摺部をもって、張出手摺部の先端で脚部を固定して、脚部の大きさを張出手摺部の大きさの２０〜１００％にしていることを特徴とする請求項１に記載の手摺付きテーブル。
【請求項３】
テーブルにおける天板の材料は、無垢材、ＭＤＦ材、合板であって、縦４００〜１８００ｍｍ、横４００〜１８００ｍｍ、厚さ５〜５０ｍｍであり、上面の四周に滑り止め付き握り可能な張出手摺部を、幅４０〜１００ｍｍで、長さ１００〜２５０ｍｍで、厚さ４０〜１００ｍｍにして、テーブル囲い部と張出手摺部と脚部を、木材質で製作されていることを特徴とする請求項１又は請求項２に記載の手摺付きテーブル。
【請求項４】
脚部は、４本であって、床に接する部分にストッパー、及びキャスターを有しており、移動と固定とを可能にして、テーブルの強度に耐える大きさと材料にして、張出手摺部に嵌め込み式固定方式にしていることを特徴とする請求項１〜請求項３のいずれかに記載した手摺付きテーブル。
【請求項５】
滑り止め付き握り可能な張出手摺部は、張出部の５０〜１００％において掌で握り可能な形状にして、前記の上部と両側面に滑り止め部材を３０〜８０％程度にしていることを特徴とする請求項１〜請求項４のいずれかに記載した手摺付きテーブル。
【考案の詳細な説明】
【技術分野】
【０００１】本考案は、身体の動きが若干鈍っている方に使用するテーブルであり、特に、身体的に不自由な人が立ち上がる時に便利な立ち上り容易手摺り付テーブルに関するものである。
【背景技術】
【０００２】今日、手足などの身体の運動機能に障害を有する人の機能回復訓練に使用する器具が提供されると共に、ベッドや椅子、テーブルなどの日常用具にも身体に障害を有する者が使用し易くする工夫が施されるようになってきた。
例えば、建物の入り口や廊下又は道路などでは、段差を無くしてスロープを設けるようにし、廊下の壁等に手摺を設けて身体を支え易くするなどの配慮がされるようになってきた。【０００３】またベッドにパイプ等のバーを補助器具として取り付け、ベッドからの自立を行う際の補助とし、更に、このバーにテーブルを固定し得るようにして障害を有する人がベッドの上で食事や作業を行いやすくする器具も提案されている（特許文献１参照）。【０００４】天板の機能を損ねることなく、楽に立ち上がったり、座ったりすることできるようにするために、テーブルの天板の端辺の近傍には、端辺に沿って、長穴が天板を貫通するようにして３個ずつ形成されている。各長穴には、手の指を人指し指から子指まで差し込み、天板の長穴の外側部分は取手としての役割も果し、体の不自由な人がテーブルとセットの椅子に座っている状態から立ち上がりたい場合、天板に設けられた内、自分の近くに有る長穴に手の指を人指し指から子指まで差し入れ、親指を天板の下面の端部に回し、天板の端部を手でしっかり掴み、力を入れて体を支えることで、楽に速やかに立ち上がることができる提案がなされている（特許文献２参照）。【０００５】歩行訓練者用（多目的）テーブルを提供するために、天板側に設けた上脚材を台脚側の下脚材に案内させて、公知の昇降装置により自在に昇降させ、適宜の高さ位置で位置決めして、天板の高さ調整が出来るようにしてある。台脚は天板直下の中央寄りに配するようにして天板周辺を歩行する際に足を引っ掛けないようにするべきである。天板は周縁’の適所に手摺を設け、手摺は，周縁に止着した支持片に周縁との間に指先を挿通できる程度の間隙が存在するように棒杵を架設して構成したものであるものが提案されている（特許文献３参照）。【０００６】身体に障害を有する人が安全且つ容易に訓練を行えるテーブルを提供するために、テーブルにおける天板の上面四周に手摺を設け、テーブルの天板と脚部との固定は、回動軸により天板を脚部に対して回動可能とすると共に、天板の裏面において回動軸の近傍に補助アームを設け、脚部内に固定して天板を水平状態及び垂直状態に回動固定可能とした自立訓練用テーブルが提案されている（特許文献４参照）。【０００７】使用勝手を向上させることができるテーブルを提供するために、テーブルで、物を載せる載置面と、この載置面を支える複数の脚部を備えたテーブルであって、載置面の縁部に水平方向に移動自在な手摺り部を設けることが提案されている（特許文献５参照）。
しかしデザイン性をもって、体の動きに不自由な方に対して立ち上がりに便利なテーブルは少ない。さらに簡単に移動したり、多目的使用可能なテーブルは見当たらない。
【先行技術文献】
【特許文献】
【０００８】
【特許文献１】特開平１０−１５１１５９号公報
【特許文献２】特開２００２−８５１６２号公報
【特許文献３】特開２００３−２２０１０３号公報
【特許文献４】特開２００５−１１１０９２号公報
【特許文献５】特開２００６−１１６２０９号公報
【考案の概要】
【考案が解決しようとする課題】
【０００９】今日、体の動きに不自由な方は、壁やベッドなどに手摺やバーを設け、身体に障害を有する人の機能回復訓練の補助や車椅子使用者の自立補助を行うことができるようにすることが種々行われているも、身体に対して不自由な高齢者や障害者にとって特に使用し易い工夫がされたテーブルが無かった。【００１０】本考案は、体の動きに不自由な方、身体に障害を有する人にとって便利なテーブルを提供することを課題とするものである。天板に手をついただけではしっかりと力強く支えることが難しく、立ち上がったり、座ったりするのに苦労して時間が掛かっていた。本考案は、天板の機能を損ねることなく、楽に立ち上がったり、座ったりすることのできるテーブル、机、天板台を提供する。【００１１】天板に手をついただけではしっかりと力強く支えることが難しく、立ち上がったり、座ったりするのに苦労して時間が掛かっていた。テーブルで手摺りを付けて立ち上がりを容易にすることを目的としている。
【課題を解決するための手段】
【００１２】  木製厚板であって天板上面の四周に沿って滑り止め付き握り可能な張出手摺部を２〜４箇所を有し、安定性を持たせるために張出手摺り部に脚部を取り付けている立ち上りで便利な手摺付きテーブルである。【００１３】テーブルにおける正方形、長方形、矩形から選ばれた天板上面の四周に滑り止め付き握り可能な張出手摺部は、幅４０〜８０ｍｍで、長さ１００〜２５０ｍｍで、厚さ４０〜１００ｍｍであって、手摺り上面に透明シリコンフイルムの張付け、線状溝構造の施し、シリコン微粒子入り透明塗料の塗布のいずれかを施しており、テーブルの天板の２〜４カ所の角の張出手摺部と脚部との固定に対して、脚部の取り付け箇所の大きさを張出手摺部の大きさの２０〜１００部の割合を占める。また、手摺部下の角脚上部の巾を広くして、全体の強度をを増し、テーブル自体の重量感を持たせることができる。【００１４】テーブルにおける正方形、長方形、矩形から選ばれた天板は、無垢材、ＭＤＦ材、合板であって、縦４００〜１８００ｍｍ、横４００〜１８００ｍｍ、厚さ５〜５０ｍｍであり、上面の四周に滑り止め付き握り可能な張出手摺部を、幅４０〜８０ｍｍで、長さ５０〜２５０ｍｍで、厚さ３０〜１００ｍｍであって、テーブル囲い部と張出手摺部と脚部を、木材質で製作されている。好ましくは木材としては、杉、檜、パイン、であり、他の木材も使用できる。【００１５】脚部は、４本であって、床に接する部分にストッパー、及びキャスターを有しており、移動と固定とを可能にしており、テーブルの強度に耐える大きさと材料にして、張出手摺部に嵌め込み式固定方式にしている立ち上り便利な手摺付きテーブルである。手摺部下の角脚上部の巾を広くして、テーブルの強度を強化し重量感を持たせた。【００１６】滑り止め付き握り可能な張出手摺部は、張出部の５０〜７０％において掌で握り可能な形状にして、前記の上部と両側面に滑り止め部材を３０〜８０％程度に占めている立ち上り便利な手摺付きテーブルである。【００１７】本考案は、木製にして厚さ数センチメートル程度の厚板を用いて正方形、長方形、矩形とされる天板の上面周縁に沿って直線棒状の２〜４本の手摺を設け、水平方向へ張出し部を備えた４本の脚部によりこの天板を床面から所定の高さで床面に安定的に載置できるようにするものである。
【考案の効果】
【００１８】本考案に係る介護者用テーブルは、天板の四周に手摺を有しているため、テーブルの周囲で動くとき、手摺を握って身体を支えることが容易となる。
又、本考案に係るテーブルは、天板を脚部に取付け、天板を水平状態として通常に使用し、垂直状態に立てることもできるが、脚部に連携した手摺を使って立ち上がりを行うこともできる。【００１９】そして、張出手摺部と脚部を構成する考案は、多くの体格の異なる身体に障害を有する人の使用に供することができ、キャスター及びストッパーを備えているため、テーブルの移動及び固定が容易であって、多くの場所で安全に手を使用して椅子からの立ち上がりを容易に行うことができる。
【図面の簡単な説明】
【００２０】
【図１】本考案に係る手摺付きテーブルの斜視図。
【図２】四本の手摺付きテーブルの平面図。
【図３】四本の手摺付きテーブルの正面図。
【図４】四本の手摺付きテーブルの側面図。
【図５】四本の手摺付きテーブルの脚部と手摺り部の図。
【図６】本考案に係る二本の手摺付きテーブル斜視図。
【図７】二本手摺付きテーブルの平面図。
【図８】二本手摺付きテーブルの正面図。
【図９】二本手摺付きテーブルの側面図。
【図１０】二本手摺付きテーブルの脚部と手摺部の図
【考案を実施するための形態】
【００２１】木製厚板であって天板上面の四周に沿って滑り止め付き握り可能な張出手摺部を２〜４箇所を有し、安定性を持たせるために張出手摺り部に脚部を取り付けている立ち上り便利なテーブルである。以下図によって説明する。
【００２２】本考案は、図１〜図５に示すように四本の手摺付きテーブル、図６〜図９に示すように二本の手摺付きテーブル、における天板の上面周縁部に手摺を設け、且つ、天板を水平状態で使用するときの身体の支えを容易とするのみでなく、手摺に掴まって立ち上がりを行うことが可能なテーブルとするものである。
【実施例１】
【００２３】本考案に係る手摺付きテーブルの実施例は、厚さ数センチメートルの檜製にして縦横９００ｍｍ程度の長方形又は正方形をした天板の上面に、図１及び図２に示すように、四周に沿って手摺を設け、該天板を４本の脚部により支持するものである。【００２４】この手摺は直線角棒状であって、握りやすい太さとして直径を７０ｍｍとし、天板の周縁に沿って天板の上面四辺１５０ｍｍ位置に各々１本ずつ脚部を配置固定するものであり、天板の四隅位置では手摺には滑り止め部を１００ｍｍに四周手摺り部に設けた。【００２５】図２、図５に示すように、テーブルにおける横９００ｍｍ、縦９００ｍｍ、厚さ２０ｍｍの合板の正方形の天板上面の四周に滑り止め付き握り可能な張出手摺部は、幅７０ｍｍで、長さ２００ｍｍで、厚さ７０ｍｍであって、手摺り上面に線状溝構造の施し、テーブルの天板の４カ所の角部に張出手摺部をもって、張出手摺部の先端で脚部を固定して、脚部の大きさを張出手摺部の大きさの４０％にして、テーブル囲い部と張出手摺部と脚部を、檜材で製作した。
このテーブルを使用して、２名の高齢者の家庭の食卓に使用した。食事の準備は立ち上がる時容易で支度が早くなった。
【実施例２】
【００２６】厚さ３０ｍｍの檜材製にして、縦横９００ｍｍ程度の長方形をした天板の上面に、図１及び図２に示すように、四周に沿って手摺を設け、４本の脚部により支持するものである。【００２７】この手摺は直線角棒状であって、握りやすい太さとして直径を７０ｍｍとし、天板の周縁に沿って天板の上面四辺１５０ｍｍ位置に各々１本ずつ脚部を配置固定するものであり、天板の四隅位置では手摺には滑り止め部を１１０ｍｍに四周手摺り部に設けた。【００２７】図２、図３、図４、図５に示すように、テーブルにおける横９００ｍｍ、縦９００ｍｍ、厚さ５０ｍｍのＭＤＦの正方形の天板上面の四周に滑り止め付き握り可能な張出手摺部は、幅５０ｍｍで、長さ１５０ｍｍで、厚さ５０ｍｍであって、手摺り上面に線状溝構造の施し、テーブルの天板の４カ所の角部に張出手摺部をもって、張出手摺部の先端で脚部を固定して、脚部の大きさを張出手摺部の大きさの７０％にして、テーブル囲い部と張出手摺部と脚部を、檜材で製作した。【００２８】このテーブルを使用して、３名の高齢者の家庭の食卓に使用した。食事の準備は立ち上がる時容易で支度が早くなった。また食卓も広く使用できて、移動も簡単にできるので、高齢者の使用で非常に便利になった。
【実施例３】
【００２９】厚さ数センチメートルの杉材製にして縦横９００ｍｍ程度の長方形をした天板の上面に、図７及び図８に示すように、四周に沿って手摺を設け、該天板を４本の脚部により支持するものである。【００３０】この手摺は直線角棒状であって、握りやすい太さとして直径を５０ｍｍとし、天板の周縁に沿って天板の上面四辺１５０ｍｍ位置に各々１本ずつ脚部を配置固定するものであり、天板の四隅位置では手摺には滑り止め部を１５０ｍｍに四周手摺り部に設けた。【００３１】図６，７，８に示すように、テーブルにおける横１２００ｍｍ、縦１０００ｍｍ、厚さ２０ｍｍの檜板の長方形の天板上面の四周に滑り止め付き握り可能な張出手摺部は、幅７０ｍｍで、長さ２００ｍｍで、厚さ８０ｍｍであって、手摺り上面に線状溝構造の施し、テーブルの天板の２カ所の角部に張出手摺部をもって、張出手摺部の先端で脚部を固定して、脚部の大きさを張出手摺部の大きさの８０％にして、テーブル囲い部と張出手摺部と脚部を、檜材で製作した。【００３２】このテーブルを使用して、１名の高齢者の家庭の食卓に使用した。食事の準備は立ち上がる時容易で支度が早くなった。椅子から立ち上がる時に非常に便利となった。
【符号の説明】
【００３３】１．テーブル
２．天板
３．天板枠材
４．天板部材
５．支持片
６．脚部
７．滑り止め部
８．張出し部
８．ストッパー
９．キャスター
１０．天板ジョイント
１１．接続ジョイント
１２．脚強度部
【図１】
0003174532.tif 000003
【図２】
0003174532.tif 000004
【図３】
0003174532.tif 000005
【図４】
0003174532.tif 000006
【図６】
0003174532.tif 000007
【図７】
0003174532.tif 000008
【図８】
0003174532.tif 000009
【図９】
0003174532.tif 000010
【図１０】
0003174532.tif 000011
【手続補正書】
【提出日】平成24年2月1日(2012.2.1)
【手続補正１】
【補正対象書類名】図面
【補正対象項目名】全図
【補正方法】変更
【補正の内容】
【図１】
0003174532.tif 000012
【図２】
0003174532.tif 000013
【図３】
0003174532.tif 000014
【図４】
0003174532.tif 000015
【図５】
0003174532.tif 000016
【図６】
0003174532.tif 000017
【図７】
0003174532.tif 000018
【図８】
0003174532.tif 000019
【図９】
0003174532.tif 000020
【図１０】
0003174532.tif 000021